(57)【要約】【課題】画面構築／変更に際して、ソースコードの作成・変更／コンパイル／実行イメージの作成という作業を不要にする。【解決手段】ＷｅｂサイトＡ、Ｂ、Ｃとはインターネットを介してクライアント端末Ｄを接続し、端末Ｄには画面編集機能のある画面をブラウザ表示し、各サイトの監視画面を編集して当該サイトの監視画面として構築／再構築する。  端末Ｄは、監視画面の構築／再構築対象になる画面について、ブラウザ上で部品一覧を表示、ブラウザ上で部品一覧から選択した部品のプロパティを設定、ブラウザ上でシステムに表示する入力項目を部品にドロップ操作で割り付け、ブラウザ上のボタン操作により、編集内容を反映した画面をリアルタイム表示、ブラウザ上のボタン操作により編集画面を当該サイト側に転送する過程を有する。【選択図】図１
2008152412.tif 000002
【特許請求の範囲】
【請求項１】
監視対象機器の監視情報を公衆回線を介して監視用コンピュータに収集し、この監視情報を基に監視画面上で各種監視対象を監視するリモート監視システムの監視画面構築／変更方法であって、
前記監視用コンピュータとは公衆回線を介して接続し、画面編集機能のある画面をブラウザ表示し、各監視用コンピュータの監視画面を編集して当該監視用コンピュータの監視画面として構築／再構築する端末を備え、
該端末は、監視画面の構築／再構築対象になる画面について、
ブラウザ上で部品一覧を表示させる過程と、
ブラウザ上で前記部品一覧から選択した部品のプロパティを設定する過程と、
ブラウザ上でシステムに表示する入力項目を前記部品にドロップ操作で割り付ける過程と、
ブラウザ上のボタン操作により、編集内容を反映した画面をリアルタイム表示する過程と、
ブラウザ上のボタン操作により、編集画面を監視用コンピュータ側に転送する過程とを有することを特徴とするリモート監視システムの監視画面構築／変更方法。
【発明の詳細な説明】
【技術分野】
【０００１】
本発明は、監視対象機器の監視情報を公衆回線を介して監視用コンピュータに収集し、この監視情報を基に監視画面上で各種監視対象を監視するリモート監視システム（Ｗｅｂ監視システム）に係り、特にシステムの監視画面構築／変更方法に関する。
【背景技術】
【０００２】
この種のリモート監視システムは、例えば、広域に分散した複数のビルを中央監視室で監視するビル群監視システムがあり、中央監視室と各ビルとの間を公衆回線（電話回線、インターネットなど）で接続し、ビル設備（受変電設備、空調設備、照明設備等）の各種状態を監視情報として中央監視室の監視用コンピュータに収集し、監視用コンピュータの監視画面上で一括監視する。また、配電系統、ガスや水道配管網の監視システムなど、広域に分散配置される監視対象機器を集中監視するシステム、さらに計測器と監視室の間を通信回線で接続し、計測対象を遠隔監視するシステムなどがある（例えば、特許文献１、特許文献２参照）。
【０００３】
このようなシステムの構築には、監視用コンピュータは、各種監視情報を回線を通して収集するための通信手段、監視情報を管理するための情報管理手段の他、ビル配置図や電力系統図を監視画面に表示すると共に監視情報を監視画面に反映させるための監視画面処理手段を搭載する必要がある。これらの監視画面処理手段の多くは、監視用アプリケーションプログラムとしてソフトウェア構成され、予めコンピュータにインストールされている。
【特許文献１】特開平１１−１９５１８６号公報
【特許文献２】特開２００３−２５６０２８号公報
【発明の開示】
【発明が解決しようとする課題】
【０００４】
前記のようなリモート監視システムの構築には、ハードウェアの設計、調達のほか、システム独自の各種の監視用アプリケーションを開発する必要がある。この監視用アプリケーションの開発には、ソースコードの作成、そのコンパイル、実行イメージの作成という手順を経て実現される。
【０００５】
図６は、監視用アプリケーションの監視画面の開発手順を示す。まず、仕様打ち合わせにより表示画面を決定し（Ｓ１）、この仕様に基づいて表示画面のソースコードの作成/コンパイル/実行イメージの作成という手順でアプリケーションを構築する（Ｓ２）。このアプリケーションの製品納入後（Ｓ３）、表示画面変更要求がある場合（Ｓ４）、この変更要求に基づいて表示画面のソースコードの修正/コンパイル/実行イメージの作成という手順でアプリケーションを再構築し（Ｓ５）、製品のアプリケーション更新を行う（Ｓ６）。
【０００６】
このように、アプリケーションの開発には多くの手間と時間を必要とする。特に、監視画面のアプリケーションは、システム毎に著しく異なる画面構成になるため、過去に開発したアプリケーションを利用するのが難しく、システム専用の画面を最初から構築する必要がある。また、仕様変更を伴うことが多く、アプリケーションの再構築が必要となる場合が多い。
【０００７】
本発明の目的は、上記の課題を解決したリモート監視システムの監視画面構築／変更方法を提供することにある。
【課題を解決するための手段】
【０００８】
前記の課題を解決した本発明は、以下の方法を特徴とする。
【０００９】
（１）監視対象機器の監視情報を公衆回線を介して監視用コンピュータに収集し、この監視情報を基に監視画面上で各種監視対象を監視するリモート監視システムの監視画面構築／変更方法であって、
前記監視用コンピュータとは公衆回線を介して接続し、画面編集機能のある画面をブラウザ表示し、各監視用コンピュータの監視画面を編集して当該監視用コンピュータの監視画面として構築／再構築する端末を備え、
該端末は、監視画面の構築／再構築対象になる画面について、
ブラウザ上で部品一覧を表示させる過程と、
ブラウザ上で前記部品一覧から選択した部品のプロパティを設定する過程と、
ブラウザ上でシステムに表示する入力項目を前記部品にドロップ操作で割り付ける過程と、
ブラウザ上のボタン操作により、編集内容を反映した画面をリアルタイム表示する過程と、
ブラウザ上のボタン操作により、編集画面を監視用コンピュータ側に転送する過程とを有することを特徴とする。
【発明の効果】
【００１０】
以上のとおり、本発明によれば、監視用コンピュータとは公衆回線を介して接続し、画面編集機能のある画面をブラウザ表示し、各監視用コンピュータの監視画面を編集して当該監視用コンピュータの監視画面として構築／再構築するため、以下の効果がある。
【００１１】
（１）画面構築／変更における従来のソースコードの作成・変更／コンパイル／実行イメージの作成という作業が不要になる。
【００１２】
（２）画面構築専用ツールなどのアプリケーションを使用しないため、どのクライアント端末からでも監視画面を構築／変更できる。
【００１３】
（３）１つのブラウザ上で、複数箇所のデータを表示する画面を構築できるため、監視性能の向上を図ることができる。
【発明を実施するための最良の形態】
【００１４】
図１は、本発明の実施形態になるリモート監視システムの監視画面構築／変更方法の模式図である。同図は、Ｗｅｂ監視サイトＡ、Ｂ、Ｃによってリモート監視を行うシステム構成とし、各サイトにはそれぞれ監視画面アプリケーションを搭載したＷｅｂ監視装置が設備される。
【００１５】
このシステム構成において、本実施形態では、インターネットを介して各サイトＡ、Ｂ、Ｃに接続できるクライアント端末Ｄを用意する。クライアント端末Ｄは、例えば、ノート型パソコンとされ、各サイトＡ，Ｂ，Ｃのアドレスにアクセスし、画面編集機能のある画面をブラウザ表示し、各サイトの監視画面を編集して当該サイトの監視画面を構築／再構築可能にするものである。
【００１６】
図２はブラウザ上での画面構築手順を示す。クライアント端末Ｄは、そのＯＳとして例えばＷｉｎｄｏｗｓ（登録商標）を用い、同図に示す監視画面の構築／変更処理のためのソフトウェアを搭載しておき、図３に編集画面例を示すような編集画面領域と部品表示領域および画面編集処理領域をもち、図４に例を示すようなファイル構成を構築しておく。
【００１７】
図２において、まず、対象とするＷｅｂ監視装置のＵＲＬをアドレスバーに入力し、当該Ｗｅｂ監視装置の監視画面情報（例えば、多数の部品の配置とその間の接続線からなる電力系統図）を取得し、それを端末画面上に開く（Ｓ１１）。この監視画面について、画面編集（変更）をする場合（Ｓ１２）、ブラウザ上でマウスの右クリックをしてメニューを表示し、「編集」モードに切り替える（Ｓ１３）。
【００１８】
次に、ブラウザ上で右クリックしてメニューを表示し、画面部品としての「部品一覧」ダイアログを表示させ（Ｓ１４）、「部品一覧」の中から部品を選択し、ドロップすることで当該部品を表示させる（Ｓ１５）。この部品選択後、右クリックにより、部品の「プロパティ」ダイアログを表示させ、線の太さや描画色などを設定する（Ｓ１６）。さらに、ブラウザ上で右クリックしてメニューを表示し、「ＴＡＧ一覧」ダイアログを表示させ、監視内容としてのアナログ、接点入力項目の一覧を表示させ（Ｓ１７）、この表示から入力項目を選択して当該部品をクリックすることで入力項目が部品に割り当てられる（Ｓ１８）。
【００１９】
以上までのＳ１４〜Ｓ１８を監視画面の構築／変更に必要とする全部品または一部の部品について選択操作と表示切り替えを繰り返して画面編集を終了する（Ｓ１９）。この後、ブラウザ上で右クリックしてメニューを表示させ、監視画面の「実行モード」を選択し、「保存」確認ダイアログを表示させて「ＯＫ」を押して保存し（Ｓ２０）、監視画面を「実行モード」にして監視対象の現在値や状態により監視部品の色や値がリアルタイムに変化する画面表示を得る（Ｓ２１）。
【００２０】
なお、部品はプログラムで作成したもの、およびイメージファイル（ＪＰＧ，ＧＩＦ）を登録したものを利用できる。
【００２１】
したがって、本実施形態による監視画面構築／変更方法では、図５に示すように、まず、仕様打ち合わせの席にて、ブラウザ上にて画面を見ながら部品を組み合わせて画面を構築する（Ｓ３１）。この画面構築は、例えば図２の手順になり従来のソースコードの作成/コンパイル/実行イメージの作成という手順は不要になる。
【００２２】
この画面構築で監視画面構築の初期製品の完成としてユーザに製品を納入し（Ｓ３２）、表示画面変更要求が発生した場合（Ｓ３３）、ブラウザ上にて画面を変更する（Ｓ３４）。この画面変更は、図２の画面編集と同様に、従来のソースコードの変更/コンパイル/実行イメージの作成を不要にして、ユーザによる変更作業または製品提供者による変更作業でなされる。しかも、１つのブラウザ上で複数箇所のデータを表示した画面構築／変更も可能となる。
【図面の簡単な説明】
【００２３】
【図１】本発明の実施形態を示すリモート監視システムの監視画面構築／変更方法の模式図。
【図２】実施形態におけるブラウザ上での画面構築手順図。
【図３】実施形態におけるソフトウェア構成例。
【図４】実施形態におけるファイル構成例。
【図５】実施形態における監視画面構築／変更の手順例。
【図６】従来の監視画面構築／変更の手順例。
【符号の説明】
【００２４】
Ａ、Ｂ、Ｃ  監視サイト
Ｄ  クライアント端末
【図１】
2008152412.tif 000003
【図３】
2008152412.tif 000004
【図４】
2008152412.tif 000005
【図５】
2008152412.tif 000006
【図６】
2008152412.tif 000007
【図２】
2008152412.tif 000008